(57)【要約】      （修正有）【課題】要介護者をシートに乗せて機材間の移動、乗せ換え等の日常生活で必要な多くの行動が家族又は施設の人が一人で実施可能にする移動用シートを提供する。【解決手段】厚さが１ｍｍ前後のポリプロピレン等の合成樹脂で作成して、幅は使用する要介護者が上向きで寝た時の左右の両腕の幅より約１０ｃｍ位広く、長さは頭から足の先までが乗せられる長さがあり、シート１を横方向に移動し易くするためにシートの左右の端から１０ｃｍ前後の上面に両端に平行な罫線５を２本設けて両端を上側に少し折り曲げ加工をして移動し易くして、最上部の頭部の左右の直角部分を大きめにカットして、なお、頭部、肩、臀部、膝等の位置する左右および下半身の位置する中央部等の数か所に手を入れてシートを引っ張るための作業用の穴３を設けた構成とする。【選択図】図１
2016209506.tif 000002
【特許請求の範囲】
【請求項１】
要介護者の移動用シートは厚さが１ｍｍ前後のポリプロピレン等の合成樹脂で作成して、形状は図１で示す如く幅は使用する要介護者が上向きで寝た時の左右の両腕の幅より約１０ｃｍ位広く、長さは頭から足の先までが乗せられる長さがあり、シートを横方向に移動し易くするためにシートの左右の端から１０ｃｍ前後の上面に両端に平行な罫線を２本設けて両端を上側に少し折り曲げ加工をして移動し易くして、最上部の頭部の左右の直角部分を大きめにカットして、なお、頭部、肩、臀部、膝等の位置する左右および下半身の位置する中央部等の数か所に手を入れてシートを引っ張るための作業用の穴を設けた移動用シートの構造。
【請求項２】
シートの上面と下面は基本的には鏡面加工であるが要介護者の体が滑って移動するのを少なくするため上面にエンボス加工を施した移動用シートの構造。
【請求項３】
要介護者をベットから車椅子や椅子等に移乗するための椅子用シートは図３で示す如くシートの長さは頭の先から膝まで有り、体の凹凸に合わせて横方向の罫線を数本設けて、また、椅子に腰かけた時にシートが曲がってタブが重なった部分をカットしてシート上の座位の体を安定させることを特徴とする椅子用シートとして使用する移動用シートの構造。
【請求項４】
入浴時に使用する入浴用の水切りシートの形状は図６、図８で示す如く移動用シートと幅および長さはほぼ同じに作成して、シートに多くの排水用の穴を設けてある。シートを移動するための手を入れる作業用の穴は要介護者を移動するために要介護者の吊り上げ用ひもを図８で示す如く要介護者の荷重の多くが吊り上げ用ひもに掛かる様に取り付け可能な入浴用水切りシートとして使用する移動用シートの構造。
【発明の詳細な説明】
【技術分野】
【０００１】  本発明は自分で自分自身の体を自由に移動することが出来ない要介護の人を比較的楽に安全に移動させることが出来る移動用シートに関する。
【背景技術】
【０００２】  要介護者の日常生活において身体の移動を楽に行う方法には各種工夫した物があり、例えば特許公開２０１０−０２２８０２、  発明の名称は「介護用移動シート」（特許文献１）、及び特許公開２００７−５４１７８  発明の名称は「介護用の移動シート」（特許文献２）等が有り、また、要介護者を入浴するための入浴用シートについては特許出願平５−１３０４９２等があるが構造が複雑の上、作業が難しい等の問題点が有る。【０００３】  最近は各家庭及び老人ホーム等で要介護の人たちが増加している事は周知の通りである。今後の状況は高齢化が一層進み、自分自身の体を移動する事が出来ない人が増加する。従って要介護者をベットからストレッチャー、又は車イスに乗せる場合は介護をする人には相当な重労働であり危険を伴う事が多い。特に老人ホーム等で入浴をする場合等はベットからストレッチャーに乗せ替えてストレッチャーで浴室まで移動して、ストレッチャーから浴槽の台に乗せ替えるのに人手が掛かり重労働である。入浴後は逆方向の浴槽の台からストレッチャーに乗せ替えて寝室まで移動してからストレッチャーからベットに乗せ替えるので再度重労働になる。又数人が入浴をする場合は重労働の連続である。また、この様に自分自身で体を移動させる事ができない人を乗せ替える時は抱き上げて行うために重労働と危険が伴う事が多いので、介護に伴う重労働と危険を少なくするのと同時に作業性を改善する必要がある。
【先行技術文献】
【特許文献】
【０００４】
【特許文献１】特許出願２００８−２１１１７８、特許公開２０１０−０２２８０２、特許登録４４７４６１９
【特許文献２】特許出願２００５−２４１５３０、特許公開２００７−０５４１７８、
【特許文献３】特許出願５−１３０４９２、特許公開６−３３９５０８、
【０００５】
【非特許文献】
【非特許文献】インターネットのＹＡＨＯＯで「入浴用マット」で検索すると多数表示有ります。
【発明の概要】
【発明が解決しようとする課題】
【０００６】  家庭又は老人ホーム等で要介護の人を移動させる必要性は多々有ります。日常生活の中でも食事をしたり、入浴をしたり、病院に行ったり等でベッドから車イスやストレッチヤーに移乗する機会が結構多くあります。その都度介護をする人には重労働が発生し、介護をしてもらう方も結構体を動かし危険も発生します。現在も要介護の人を移動させるための布製のシートも有りベッドの上で滑らせて移動したり持ち上げたりするがシートの滑りが悪かったり、又布製シートが折れ曲がったりして使いにくい点も有ります。【０００７】  家庭又は老人ホーム等の介護で日常的に手軽に人を移動させるには、要介護の人を乗せてベッドの上等で滑らせる事が出来て車イスやストレッチャー等に安全に移乗させるシートが必要である。従って、要介護の人をストレッチャー又は車イスに乗せたり下ろしたりの移乗作業では取扱い方が簡単で強い力を必要としない構造の簡単なシートが望ましい。本発明の介護の移動用シートは、厚さが１ｍｍ前後のポリプロピレン等の一枚の合成樹脂で出来ており、前述の布製のシートの欠点を改善した望ましい形態をしており、かつ、極めて簡単な構造である。
【課題を解決するための手段】
【０００８】  本発明の要介護者の移動用シートは図１で示すシートの長さが要介護者の頭から足の先まである身長より若干長い移動用シートと図３、図４で示すシートの長さが要介護者の頭から膝までの椅子用シート及び図１で示すシート同じ形態のシートに排水用の穴を設けた図６で示す入浴用シートとの３種類が有り、３種類のシートとも幅は肩幅より少し広く厚さは１ｍｍ前後のポリプロピレン等の合成樹脂の薄い板で作成して、頭部の位置する左右の角を三角形に少し大きく切断して、切断してある各角には丸みを付けて、又シートの外周の切断部は皮膚が触れても滑りが良く体に傷が付かない様に仕上げてある。又頭部の位置するシートの左右で三角形に切断した上部の角よりシートの下端まで左右の切断面に平行にシートが上面に折れ曲がるように（図１、図２を参昭）上面に罫線を設け、その左右の罫線と平行な平面のシートの上部、中部、下部等の数か所にシートに要介護者を乗せて移動する時に手を入れて引っ張る作業用の穴を設け（図１を参昭）、シートの上面は要介護者を乗せた時に滑って移動しない様にエンボス加工を施してあり、下面は滑りやすくするため鏡面の構造のシートである。【０００９】  図１で示す移動用シートの用途はベットからストレッチャーに移乗して、そのまま車で病院へ行ったり、施設内での移動に使用したりと使用範囲も広い。また、図３で示す椅子用シートの用途はベットから車椅子に移乗してテーブルで食事をしたり、目的の場所に移動したり、車で外出するとき等に使用が可能である。具体的な移乗方法はベットの上で体を横に向けて足をベットの手前で膝から先を下に向けて（図５を参照）この状態で上半身を起しベットに腰かけた状態にしてシートに乗せたままベットに固定した車椅子に移動する。【００１０】  入浴用のシートについては図６で示す台座付きの浴槽で使用する入浴用水切りシート（１）の場合と、図８で示すように要介護者をシートに固定して吊下げて浴槽の出入りで使用する入浴用水切りシート（２）の場合の２種類がある。双方とも図１で示す移動用シートに直径が１０ｍｍ前後の排水用の穴を多数設けて、シートの上で体を洗った洗剤入りの水分やシャワーの排水等を行う。また、シートを移動するためにシートの左右に設けた作業用の穴も排水口を兼ねる。その上、下半身を左右に移動し易くするためにシートの下部の中央部に排水用の穴を兼ねたシートを移動するための手を入れる作業用の穴を追加した形状のシートである。入浴用のシートについては皮膚との摩擦を小さくするために上面を鏡面加工を行ったシートも有効である。
【発明の効果】
【００１１】  移動用シートは厚さが１ｍｍ前後のポリプロピレン等の薄い合成樹脂の板一枚で出来ているため構造が簡単であり、製作が容易で有るため単価が比較的安価に出来る。【００１２】  要介護者を移動用シートの上に上向きに乗せても体が移動してしまわない様に上面にエンボス加工をしてある。また、裏側は移動する時に滑り易いように鏡面加工を施してあり、なおシートの両側に罫線を加工してあり左右が上側に曲っているので移動がしやすい。【００１３】  構造が簡単のため取り扱い易く要介護者を乗せて移動させても強い力も必要とせず移動することが可能である。また、移動を予定している場所に事前に同じ形の他のシートを敷いて置き、その上で要介護者を乗せたシートを移動させると裏側の鏡面と下側のシートの上面のエンボス加工をしてある面が接触するため摩擦が小さく軽く移動が出来る特徴がある。【００１４】  シートは吸水性が無いため、入浴をする場合には要介護者を入浴用のシートに乗せたまま浴槽に入れたり、浴槽用の台の上で体を洗ったりする事が出来る。また、体を拭く時はシートに有る多くの排水用の穴より排水するため上面及び下面も水分を拭き取るとシートの上で衣類を身に付ける事が可能である。【００１５】  要介護者をシートからシートに乗せ換える時は、要介護者の体を横向きにして背中の側から体の下のシートの上に他のシートを差込み下側のシートを抜いて体を元の状態に戻せば簡単に乗せ換えが出来る。【００１６】  椅子用シートは体の凹凸に合わせて肩、腰、臀部、膝  等、横方向の罫線が数本加工してあるため車イスを利用するとき等は利用する人の体格に合わせてシートを選択してあると体の曲線に合致してシートの罫線が曲がるため使用しやすくなる。【００１７】  移動用シートを使用しない時は厚さが１ｍｍ前後のため保管が容易である。
【図面の簡単な説明】
【図１】  移動用シートの平面図。
【図２】  移動用シートの底辺図。
【図３】  椅子用シートの平面図。
【図４】  椅子用シートの使用状態。
【図５】  椅子用シートの底辺図。
【図６】  入浴用水切りシートの平面図。
【図７】  入浴用水切りシートの底辺図。
【図８】  入浴用水切りシートの使用例（吊下げて入浴の場合）。
【発明を実施するための形態】
【００１８】  本発明の介護の移動用シートはポリプロピレン等の合成樹脂の厚さが１ｍｍ前後の薄い一枚の板で作成されており、図１で示す移動用シートは頭から足の踵まで乗せられる長さで幅はシートを使用する要介護者が上向きで寝た時の状態で双方の腕の外側より約１０ｃｍ位広く、また、図３で示す椅子用シートの縦の長さは頭から胴体、膝関節位までが余裕を持って乗せられる長さでシートの幅は図１で示す移動用シートと同じである。なお、双方のシートのとも上面は要介護者を乗せるためシートから体が滑って移動するのを少なくするためエンボス加工を施し、シートの下面は移動する時に滑り易くするために鏡面加工を施してある。また、シートに要介護者を乗せて移動する場合はシートの下側が毛布や敷布団だったりストレッチャーや車イスの上だったりその時々の状態にかかわらずスムーズに移動をしなければならない。シートを左右の横方向に移動しやすくする為にシートの左右の端から約１０ｃｍ位の所にシートの上端から下端までシートの上面に罫線を施しシートの両端を若干上側にまげて、その両端と罫線の間の幅が約１０ｃｍ位のシートの上部から頭部、背中、腰の該当する位置に手を入れてシートを左右に引っ張るための作業用の穴を設け、また、椅子用シートに要介護者をに乗せた場合にシートが上側に曲がる首、肩、背中、腰  等は上側に横方向の罫線を設け、シートが下側に曲がる膝の部分にはシートの裏側に横方向の罫線を施し、車イス等の横向きの凹凸に合わせてシートを曲げて車イスと体の間に優しく収める。ただし、横向きの罫線は移乗する機材、要介護者の状態に合わせて本数及び罫線を入れる場所を変更が出来る。なお頭部を乗せるシートの左右の部分はシートに要介護者を乗せて移乗させる場合に邪魔にならない様に大き目にカットをして、そのカットをした部分を含めてシートの全周を滑らかに加工して布の上などでスムーズに移動が出来るようにしてある。なお、移動用シートの大きさについては、使用する要介護者の体格に合わせて大、中、小  等の中から選択して使用が出来るように数種類のサイズを作成する。
【００１９】  入浴で使用する場合は、入浴用の台付き浴槽でシートを使用する場合は図６で示す入浴用水切りシート（１）を使用する。また、滑車および吊下げ用金具、および、吊下げ用ひもを使用して要介護者を椅子に座った姿勢で固定して上下動をさせて入浴する場合は図８で示す水切りシート（２）を使用する。（１）、（２）の双方とも幅及び長さは移動用シートとほぼ同じく、足首までがシートに乗る長さに加工したシートに多くの排水用の穴を設けて入浴用水切りシートとする。また、シートを移動するための手を入れる穴はシートに足首部の穴を追加して、かつ  使用者の下半身を移動するための手を入れる穴を、使用者の下半身の下部に設けて移動をし易くした入浴用水切りシートとする。なお、シートを移動するための作業用の穴も排水口を兼ねているので効率よく排水が出来る。
【実施例１】
【００２０】  ベットからストレッチャー等に移乗する場合は高さを同じにしてから図１の姿勢で行う。
【実施例２】
【００２１】  ベットから椅子及び車椅子等に移乗する場合は図３、５、４の手順で行う。
【実施例３】
【００２２】  入浴で使用する場合は浴場でストレッチャーと、上下に作動する入浴用の台との高さを同じに固定して図６の入浴用水切りシート（１）に移乗してから入浴を行う。又は、上下に作動する入浴用の台が無い場合は図８で示す椅子に座った形で使用する水切りシート（２）に要介護者を固定してから吊り上げ用ひもをリフトの吊り上げ用金具に掛けてから入浴を行う。
【符号の説明】
【００２３】
2016209506.tif 000003
2016209506.tif 000004
2016209506.tif 000005
2016209506.tif 000006
【図８】
2016209506.tif 000007
【手続補正書】
【提出日】平成27年6月29日(2015.6.29)
【手続補正２】
【補正対象書類名】図面
【補正対象項目名】全図
【補正方法】変更
【補正の内容】
【図１】
2016209506.tif 000008
【図２】
2016209506.tif 000009
【図３】
2016209506.tif 000010
【図４】
2016209506.tif 000011
【図５】
2016209506.tif 000012
【図６】
2016209506.tif 000013
【図７】
2016209506.tif 000014
【図８】
2016209506.tif 000015